(57)【要約】      （修正有）【課題】低床建築において、基礎上に建築物の床組を安定して支持することを可能とし、高さ調整範囲を制約することなく長期間の使用における高さ調整用高ナットの弛みを抑制した高さ調整床支持金具を提供する。【解決手段】基礎上に配置される基台部と、床部材を支える床部材受部と、下端部が基台部に取付けられたボルト３と、ボルト３の上端部に螺合され床部材受部に取り付けられた高ナット４と、ボルト３に螺合され高ナット４の下端部に係合し高ナット４の緩みを防止するロックナット１３を具備した高さ調整床支持金具において、高ナット４の下端部１４はテーパー状突出部を有し、ロックナット１３の高ナット４に係合する側の内側はテーパー状突出部と同一テーパー角のテーパー状収容部が形成され、ロックナット１３の締め付けによりロックナット１３のテーパー状嵌合部内に高ナット４のテーパー状突出部が密に嵌合することを特徴とする。【選択図】図３
2020153211.tif 000002
【特許請求の範囲】
【請求項１】
基礎に接して配置される基台部と、床部材を支える床部材受部と、下端部が前記基台部に取付けられたボルトと、このボルトの上端部に螺合され、上端部が前記床部材受部に取り付けられた高ナットと、前記ボルトに螺合されるとともに前記高ナットの下端部に係合し、前記高ナットの緩みを防止するためのロックナットを具備し、前記高ナットの回転により基台部と床部材受部の間隔が伸縮する高さ調整床支持金具において、前記高ナットの下端部はテーパー状突出部を有しており、前記ロックナットの前記高ナットに係合する側の内側は前記テーパー状突出部と同一テーパー角のテーパー状収容部が形成されており、前記ロックナットの締め付けにより前記ロックナットのテーパー状嵌合部内に前記高ナットのテーパー状突出部が密に嵌合することを特徴とする高さ調整床支持金具。
【請求項２】
基礎に接して配置される基台部と、床部材を支える床部材受部と、下端部が前記基台部に取付けられた第１のボルトと、上端部が前記床部材受部に取付けられた第２のボルトと、前記第１のボルトの上端部に螺合されるとともに前記第２のボルトの下端部に螺合された高ナットと、前記第１のボルトに螺合されるとともに前記高ナットの下端部に係合し、前記高ナットの緩みを防止するための第１のロックナットと、前記第２のボルトに螺合されるとともに前記高ナットの上端部に係合し、前記高ナットの緩みを防止するための第２のロックナットを具備し、前記高ナットの回転により基台部と床部材受部の間隔が伸縮する高さ調整床支持金具において、前記高ナットの下端部及び上端部はテーパー状突出部を有しており、前記第１のロックナット及び第２のロックナットの前記高ナットに係合する側の内側は前記テーパー状突出部と同一テーパー角のテーパー状収容部が形成されており、前記第１のロックナット及び第２のロックナットの締め付けにより前記第１のロックナット及び第２のロックナットのテーパー状嵌合部内に前記高ナットの下端部及び上端部のテーパー状突出部が密に嵌合することを特徴とする高さ調整床支持金具。
【発明の詳細な説明】
【技術分野】
【０００１】  本発明は、建築物高さ調整床支持金具に係り、特に、高さ調整用ナットの事前回転及び弛みを防止した高さ調整床支持金具に関するものである。
【背景技術】
【０００２】  通常、木造建築物は、コンクリート製の基礎の表面又はその上に配置された束石上に、床束と呼ばれる垂直部材を介して床が支持されている。即ち、木造建築物の一階の床組は、床の下地である根太及びそれを支える大引が、垂直に起立された床束により支持されている。近年、ステンレス、鋼のような金属からなる床束が知られている（例えば、特許文献１参照）。【０００３】  しかし、低床建築の場合、床下のスペースが狭く、特許文献１に記載されているような床束を使用することは困難であった。特に１００ミリ以下という非常に低い床空間の建築物に対応できる金属製床束は極めて限定されていた。【０００４】  本発明者は先に、基礎に接して配置された基台部と床部材受部とを具備し、基台部に取付けられたボルトと床部材受部に取付けられたナットとを螺合させ、前記ナットの回転により基台部と床部材受部の間隔が伸縮する高さ調整床支持金具であって、前記ナットの回転により前記床部材受部が追随して回転しないように、前記ナットの他方の端部は前記床部材受部に対し、相互に回転可能に取り付けられていることを特徴とする高さ調整床支持金具を提案した（特許文献２参照）。【０００５】  特許文献２には、高さ調整床支持金具の高さ調整用ナット（以下、高ナットと呼ぶ）の自然回転及び弛みを防止するために、第２のナット（以下、ロックナットと呼ぶ）をボルトに螺合させることが記載されている。しかし、このような高ナット及びロックナットも長期間の使用により弛んでしまう。このような弛みを極力抑えるために、種々の工夫が試みられている。【０００６】  弛みを抑えるための工夫として、高ナットとロックナットの間に座金と呼ばれる緩衝物を介在させてロックナットで締め付けることが一般的である。座金には、平座金、ばね座金、歯付座金、皿座金、波型ばね座金等があるが、建築物高さ調整床支持金具に用いられるのは、平座金とばね座金である。【０００７】  しかし、ばね座金はコイル状のばね板材を切断し成形したものであり、切断部がはね上がった形状であるため、高ナットの弛み止め効果は期待できるものの、床支持金具の高さ調整範囲を大きく制約してしまうという問題がある。【０００８】  また、平座金は円環状の平板鋼体なので、それ自体はばね座金に比べてかなり薄いが、ばね座金のような締め付けトルクに対する反撥力を有していないため、弛みを抑える効果はそれほど期待できない。
【先行技術文献】
【特許文献】
【０００９】
【特許文献１】特許第４３８５０９５号公報
【特許文献２】特開２０１６−１９９９８２号公報
【発明の概要】
【発明が解決しようとする課題】
【００１０】  本発明は、以上の事情の下になされ、床下のスペースが狭い低床建築において、基礎上に建築物の床組を安定して支持することが可能であるとともに、高さ調整範囲を制約することなく、長期間の使用における高さ調整用高ナットの弛みを抑制した高さ調整床支持金具を提供することを目的とする。
【課題を解決するための手段】
【００１１】  上記課題を解決するため、本発明の一態様は、基礎に接して配置される基台部と、床部材を支える床部材受部と、下端部が前記基台部に取付けられたボルトと、このボルトの上端部に螺合され、上端部が前記床部材受部に取り付けられた高ナットと、前記ボルトに螺合されるとともに前記高ナットの下端部に係合し、前記高ナットの緩みを防止するためのロックナットを具備し、前記高ナットの回転により基台部と床部材受部の間隔が伸縮する高さ調整床支持金具において、前記高ナットの下端部はテーパー状突出部を有しており、前記ロックナットの前記高ナットに係合する側の内側は前記テーパー状突出部と同一テーパー角のテーパー状収容部が形成されており、前記ロックナットの締め付けにより前記ロックナットのテーパー状嵌合部内に前記高ナットのテーパー状突出部が密に嵌合することを特徴とする高さ調整床支持金具を提供する。【００１２】  本発明の他の態様は、基礎に接して配置される基台部と、床部材を支える床部材受部と、下端部が前記基台部に取付けられた第１のボルトと、上端部が前記床部材受部に取付けられた第２のボルトと、前記第１のボルトの上端部に螺合されるとともに前記第２のボルトの下端部に螺合された高ナットと、前記第１のボルトに螺合されるとともに前記高ナットの下端部に係合し、前記高ナットの緩みを防止するための第１のロックナットと、前記第２のボルトに螺合されるとともに前記高ナットの上端部に係合し、前記高ナットの緩みを防止するための第２のロックナットを具備し、前記高ナットの回転により基台部と床部材受部の間隔が伸縮する高さ調整床支持金具において、前記高ナットの下端部及び上端部はテーパー状突出部を有しており、前記第１のロックナット及び第２のロックナットの前記高ナットに係合する側の内側は前記テーパー状突出部と同一テーパー角のテーパー状収容部が形成されており、前記第１のロックナット及び第２のロックナットの締め付けにより前記第１のロックナット及び第２のロックナットのテーパー状嵌合部内に前記高ナットの下端部及び上端部のテーパー状突出部が密に嵌合することを特徴とする高さ調整床支持金具を提供する。
【発明の効果】
【００１３】  本発明によると、床下のスペースが狭い低床建築において、基礎上に建築物の床組を安定して支持することが可能であるとともに、簡単な構造で、高さ調整範囲を制約することなく、長期間の使用における高さ調整用高ナットの自然回転及び弛みを防止した高さ調整床支持金具が提供される。
【図面の簡単な説明】
【００１４】
【図１】本発明の第１の実施形態に係る高さ調整床支持金具の概略を示す図。
【図２】図１に示す調整金具の高ナットと床部材受部の取り付け構造を示す図。
【図３】図１に示す調整金具の高ナットとロックナットのボルトへの螺合状態を示す図。
【図４】本発明の第２の実施形態に係る高さ調整床支持金具の概略を示す図。
【発明を実施するための形態】
【００１５】  以下、本発明の実施形態について詳細に説明する。
図１は、本発明の一実施形態に係る高さ調整床支持金具の概略を示す図である。図１において、高さ調整床支持金具１は、基礎２０に接する基台部２と、その下端が基台部２に取り付けられ、基台部２から垂直に立ち上がるボルト３と、このボルト３の上方から螺合された高さ調整用高ナット４と、根太６を支える、高ナット４の上端が回転可能に取り付けられた床部材受部５とから構成される。床部材受部５は、例えばＬ字型の形状を有していて、根太６の下面及び側面を支持している。なお、高ナット４は、外形が六角柱状であり、高さを調整するのに十分な長さを有している。
【００１６】  また、ボルト３には、高ナット４を緩め、高さ調整床支持金具の長さを最大に伸ばして根太６を支持した後、振動等により高ナット４が自然に締まり、高さ調整床支持金具の長さが縮小するのを防止するため、また、長期の使用により高ナット４が自然回転したり弛んだりすることを防止するため、ロックナット１３が螺合されている。ロックナット１３もまた、外形が六角柱状であり、長さは高ナット４よりも短い。
【００１７】  基台部２のボルト３が取付けられる部分は上方に湾曲しており、その底面が凸状となっている。基台部２のボルト３の取付けは、ボルト３を凸状部７の中央に形成された孔８に下方から挿入し、凸状部７内においてボルト３の頭部を溶接することにより行われる。ボルト３は、その頭部が基台部２の下面より下に飛び出て、基礎２０との平面接触を妨げないように取り付けることが必要である。
高ナット４の上端の床部材受部５への取り付け構造を図２に示す。図２において、床部材受部５の中央部は下方に湾曲し、その底面が凹状となっており、その凹状部９の中央に孔１０が形成されている。
【００１８】  高ナット４は六角柱のナット本体１１とその上端の取付け部１２とから構成されている。高ナット本体１１は内側にネジが切られており、その下端からボルト３が螺合されている。高ナット４を回転させることにより、ボルト３が締められたり緩められたりし、高さ調整床支持金具の長さが伸縮するようになっている。それによって根太６を所定の高さに支持することができる。
取付け部１２は円筒状であり、内径が、ネジが切られる前のナット本体１１の内径と同一であり、当初、外径は孔９より小さいが、取り付けの際に先端の外径が孔９より大きく加工されている。
【００１９】  高ナット４の上端の床部材受部５への取り付けは、まず、先端が加工されていない（外径は孔９より小さい）取付け部１２を床部材受部５の凹状部９の孔１０内に挿入する。次いで、取付け部１２の先端を、圧着、押圧、カシメ加工等により外径を孔１０よりも大きくなるように加工する。その際、取付け部１２の外径が孔９より小さい部分の長さを床部材受部５の厚みより大きくするとともに、先端が凹状部９から上に突き出ないようにする必要がある。
【００２０】  このように高ナット４を床部材受部５に取付けることにより、高ナット４が回転しても床部材受部５はそれに追随することなく、根太６を支持した状態で静止した状態を維持することが出来る。即ち、高ナット４は床部材受部５に相対的に回転可能に取り付けられることになる。また、高ナット４の先端が突き出て根太６の支持に支障を生ずることもない。
【００２１】  次に、高ナット４とのナット１３の接合部について、図３を参照して説明する。
図３に示すように、高ナット４の下端部１４は、外側が下方に向かって縮径加工されてテーパー面１５が形成されており、一方、ロックナット１３の上端部２３のネジが切られている内側は上方に向かって拡径加工されてテーパー面２４が形成されている。高ナット４のテーパー面１５のテーパー角と、ロックナット１３のテーパー面２４のテーパー角は同一であり、そのため、ロックナット１３を締めることにより、ナット４の下端部１４とロックナット１３の上端部２３とは、ぴったり隙間なく嵌合する。なお、テーパー角は、特に限定されないが、ナットの端面（軸と垂直方向）に対し７５°〜８５°が望ましい。７５°未満の場合、８５°を超える場合には、テーパー面を形成することによる効果が得にくい。
【００２２】  以上のように構成される高さ調整床支持金具１は、根太６等の床部材を所定の高さで支持するための装置として、以下のように使用される。
まず、基礎２０の所定の位置に基台部２が置かれるように、高さ調整床支持金具１を配置する。そして、高ナット４を所定の方向に回転させて、ボルト３を緩めることにより、高さ調整床支持金具１の長さを伸ばし、床部材の根太６の下面及び側面を床部材受部５が隙間なく支持するようにする。そして、ロックナット１３を締めることにより、高ナット４の下端部１４は、ロックナット１３の上端部２３の拡径凹部内に嵌合し、高ナット４を床部材受部５の下面に強く押圧するように固定する。
【００２３】  この場合、高ナット４の下端部１４とロックナット１３の上端部２３とは、テーパー面において接触するため、その接触面積は従来の通常の二重ナットの水平の接触面の接触面積に比べ大きいため、高ナット４の自然回転及び弛みを確実に防止することができる。
このようにして、本実施形態に係る高さ調整床支持金具１によると、例えば１００ミリ以下という狭い間隔の床下の基礎２０上に、基礎２０及び根太６との間に隙間を生ずることなく、かつ長期間の使用によっても高ナットの弛みを生ずることなく、床部材を所定の高さで安定して保持することが可能である。
【００２４】  本実施形態に係る高さ調整床支持金具において、４０ｍｍの長さの高ナットを用いて高さ調整床支持金具を構成することにより、基礎と床部材の間隔が８０ｍｍの狭いスペースの床下に高さ調整床支持金具を設置し、床部材を支持することができる。また、１５ｍｍという短い高ナットを用いて高さ調整床支持金具を構成すれば、基礎と床部材の間隔が３０ｍｍという極めて狭いスペースの床下に高さ調整床支持金具を設置し、床部材を支持することができる。
【００２５】  以下、本発明の第２の実施形態について詳細に説明する。
図４は、本発明の第２の実施形態に係る高さ調整床支持金具の構造を示す図である。図４において、高さ調整床支持金具３０は、下端が基台部２に取り付けられ、基台部２から垂直に立ち上がる第１のボルト３１と、上端が床部材受部５に取り付けられ、床部材受部５から垂直に下がる第２のボルト３２とが、高ナット３３のそれぞれ下方及び上方から螺合されて構成されている。即ち、第１の実施形態におけるように下端が基台部２に取り付けられた１つのボルト３（第１のボルト３１）だけでなく、床部材受部５に取り付けられた第２のボルト３２が設けられ、それらが高ナット３３のそれぞれ下方及び上方から対向して１つの高ナット３３に螺合されている。
また、第１のボルト３１には高ナット３３の下に第１のロックナット３４が、第２のボルト３２には高ナット３３の上に第２のロックナット３５が、それぞれ螺合されている。
【００２６】  第１の実施形態と同様、高ナット３３の下端部３６は、外側が下方に向かって縮径加工されてテーパー面３７が形成されており、一方、第１のロックナット３４の上端部３８のネジが切られている内側は上方に向かって拡径加工されてテーパー面３９が形成されている。高ナット３３のテーパー面３７のテーパー角と、第１のロックナット３４のテーパー面３９のテーパー角は同一であり、そのため、第１のロックナット３４を締めることにより、高ナット３３の下端部３７と第１のロックナット３４の上端部３８とは、ぴったり隙間なく嵌合する。
【００２７】  一方、高ナット３３の上端部４０は、外側が上方に向かって縮径加工されてテーパー面４１が形成されており、第２のロックナット３５の下端部４２のネジが切られている内側は上方に向かって拡径加工されてテーパー面４３が形成されている。第２のロックナット３５を締めることにより、高ナット３３の上端部４０と第２のロックナット３５の下端部４２とは、ぴったり隙間なく嵌合する。
【００２８】  以上の第２の実施形態においては、高ナット３３の下端部３６と第１のロックナット３４の上端部３８とは、テーパー面において接触し、また高ナット３３の上端部４０と第２のロックナット３５の下端部４２とは、テーパー状面において接触している。それらの接触面積は、従来の通常の二重ナットの水平の接触面の接触面積に比べ大きい。そのため、第１のロックナット３４及び第２のロックナット３５を締めることにより、高ナット３３の下端部３６は第１のロックナット３４の上端部３８の拡径凹部内に嵌合し、また高ナット３３の上端部４０は第２のロックナット３５の下端部４２の拡径凹部内に嵌合し、それらのテーパー面はぴったり接触し、高ナット４の自然回転及び弛みを確実に防止することができる。
【符号の説明】
【００２８】１，３０…高さ調整床支持金具
２…基台部
３…ボルト
４，３３…高ナット
５…床部材受部
６…根太
７…凸状部
８，１０…孔
９…凹状部
１１…ナット本体
１２…取付け部
１３…ロックナット
１４，３６…高ナットの下端部
１５，３７，４１…高ナットのテーパー面
３１…第１のボルト
３２…第２のボルト
３４…第１のロックナット
３５…第２のロックナット
【図１】
2020153211.tif 000003
【図２】
2020153211.tif 000004
【図３】
2020153211.tif 000005
【図４】
2020153211.tif 000006